(57)【特許請求の範囲】
【請求項１】
容器本体ａの口部ｂへ嵌着する外周壁２とその容器本体ａの内容物を注出する注出筒３と該注出筒の外側にて起立する蓋体嵌合用短筒４とを備えた栓本体１を設け、また、該栓本体の上面に被せて上記注出筒３の閉口を得る蓋体５とを設けて、該蓋体をその栓本体１にヒンジ６を介して開閉自在に連設するとともに、周壁７にて上記蓋体嵌合用短筒４に着脱自在に嵌合させた振り混ぜ容器の蓋付き注出栓において、上記栓本体１と閉蓋態勢の上記蓋体５との間に、該蓋体５の不意の開蓋を阻止する簡易ロック手段Ａを講じ、該簡易ロック手段Ａとして、上記栓本体１の外周壁２の外面適所に係止爪８を突設し、かつ、閉蓋態勢における上記蓋体５の周壁７の適所からその係止爪８と係合させる弾性係合片９を垂設して、閉蓋時には、弾性係合片９が係止爪８に乗り越え係合して自動的にロック状態となることが可能に形成し、開蓋時には、上記弾性係合片９を曲げ弾性に抗して引くことで、該弾性係合片９を上記係止爪８から離脱させてロックを解除させることが可能に形成したことを特徴とする振り混ぜ容器の蓋付き注出栓。
【請求項２】
上記注出筒３の外側に生じた液垂れを上記容器本体ａ内へ戻す液垂れ回収手段Ｂとして、上記注出筒３と上記蓋体嵌合用短筒４との間に形成された溝１０の溝底の適所からその注出筒３内へと通じる小流路１１を形成し、かつ、上記蓋体５の頂壁１２から上記注出筒３内へと挿入させる栓筒１３を垂設して、閉蓋態勢にて該栓筒により上記注出筒３内の注出路１４および上記小流路１１を閉じる構造としたことを特徴とする請求項１記載の振り混ぜ容器の蓋付き注出栓。
【請求項３】
上記栓本体１を、上記外周壁２、上記注出筒３、上記蓋体嵌合用短筒４、上記係止爪８、上記注出路１４及び上記小流路１１を有して、上記容器本体ａの口部ｂ外側へ嵌合させて成る外栓体１５と、上記容器本体ａの口部ｂ内側へ嵌合させて成る内栓体１６とから形成し、該内栓体１６の底壁中央部には破断線を周設し、かつ、該破断線の囲成内部にプルリングを突設して、該プルリングを引くことで破断線を破断させて開口させる破断開口部を設け、更に、内栓体の内側に上記蓋体５の栓筒１３を着脱自在に嵌合させるようにしたことを特徴とする請求項１又は２記載の振り混ぜ容器の蓋付き注出栓。
【発明の詳細な説明】
【０００１】
【発明の属する技術分野】
本発明は、振り混ぜ容器の蓋付き注出栓に関するものである。
【０００２】
【従来の技術】
食卓で使用する各種ドレッシング等は、水分とオイル分、或いは、これらと沈殿性乃至浮揚性物質など、非混和性のもの同士を配合していることが多い。したがって、このような非混和性内容物を収容する卓上型の容器は、既によく知られているように、内容物の使用の都度、容器全体をよく振ることで、その内容物を混合させるようにしている（以下、この容器を振り混ぜ容器という。）。
【０００３】
ところで、この種の振り混ぜ容器では、通常、該容器の口部に蓋付き注出栓を備えており、この蓋付き注出栓は、容器口部に嵌着した栓本体に破断開封式の広口の注出筒を有し、かつ、該注出筒を開閉する蓋体を栓本体にヒンジを介して開閉自在に連設している。また、栓本体には、注出筒の外側にて起立する蓋体嵌合用短筒を備えて、該蓋体嵌合用短筒に蓋体の周壁を着脱自在に嵌合させるようにしている。
そして、内容物の注出の際には、その注出筒を破断開口させ、かつ、蓋体を閉じた状態で容器全体をよく振った後、その蓋体を開けて、注出筒から混合内容物を注出する。
【０００４】
【発明が解決しようとする課題】
しかし、この蓋付き注出栓では、内容物の混合のために容器全体を振ったときに、勢いよく蓋体にぶつかった内容物によって蓋体が不意に開いてしまうことがあり、その内容物が周辺に飛散して、周辺を汚すことがある。
また、場合によっては、内容物の注出に際して、注出筒の外側に液垂れしたものが注出筒と蓋体嵌合用短筒との間の溝に溜まり、これがその後の注出の際に不意に流出し、或いは、美感を損ねるおそれがある。
本発明は、これらの問題点を解決しようとするものであり、併せて、構造並びに製作を簡単にして、安価に提供できるよにしようとするものである。
【０００５】
【課題を解決するための手段】
第１の手段として、容器本体ａの口部ｂへ嵌着する外周壁２とその容器本体ａの内容物を注出する注出筒３と該注出筒の外側にて起立する蓋体嵌合用短筒４とを備えた栓本体１を設け、また、該栓本体の上面に被せて上記注出筒３の閉口を得る蓋体５とを設けて、該蓋体をその栓本体１にヒンジ６を介して開閉自在に連設するとともに、周壁７にて上記蓋体嵌合用短筒４に着脱自在に嵌合させた振り混ぜ容器の蓋付き注出栓において、上記栓本体１と閉蓋態勢の上記蓋体５との間に、該蓋体５の不意の開蓋を阻止する簡易ロック手段Ａを講じたことを特徴とする。
【０００６】
第２の手段として、蓋体５の不意の開蓋を阻止する簡易ロック手段Ａとして、上記栓本体１の外周壁２の外面適所に係止爪８を突設し、かつ、閉蓋態勢における上記蓋体５の周壁７の適所からその係止爪８と係合させる弾性係合片９を垂設して、閉蓋時には、弾性係合片９が係止爪８に乗り越え係合して自動的にロック状態となることが可能に形成し、開蓋時には、上記弾性係合片９を曲げ弾性に抗して引くことで、該弾性係合片９を上記係止爪８から離脱させてロックを解除させることが可能に形成したことを特徴とする。
【０００７】
第３の手段として、注出筒３の外側に生じた液垂れを上記容器本体ａ内へ戻す液垂れ回収手段Ｂとして、上記注出筒３と上記蓋体嵌合用短筒４との間に形成された溝１０の溝底の適所からその注出筒３内へと通じる小流路１１を形成し、かつ、上記蓋体５の頂壁１２から上記注出筒３内へと挿入させる栓筒１３を垂設して、閉蓋態勢にて該栓筒により上記注出筒３内の注出路１４および上記小流路１１を閉じる構造としたことを特徴する。
【０００８】
第４の手段として、栓本体１を、上記外周壁２、上記注出筒３、上記蓋体嵌合用短筒４、上記係止爪８、上記注出路１４及び上記小流路１１を有して、上記容器本体ａの口部ｂ外側へ嵌合させて成る外栓体１５と、上記容器本体ａの口部ｂ内側へ嵌合させて成る内栓体１６とから形成し、該内栓体１６の底壁中央部には破断線を周設し、かつ、該破断線の囲成内部にプルリングを突設して、該プルリングを引くことで破断線を破断させて開口させる破断開口部を設け、更に、内栓体の内側に上記蓋体５の栓筒１３を着脱自在に嵌合させるようにしたことを特徴とする。
【０００９】
【発明の実施の形態】
その1.
図１、図２は、請求項１乃至請求項４の発明に係る実施の形態その1.を示している。
図１、図２において、１は、外周壁２にて容器本体ａの口部ｂへと嵌着した栓本体、３は、該栓本体に破断開口可能に設けた広口の注出筒、４は、該注出筒の外側にて栓本体１から立設させた蓋体嵌合用短筒、５は、栓本体１の上面に被せて上記注出筒３の閉口を得た蓋体、６は、後部にて該蓋体をその栓本体１に開閉自在に連設した弾性反転型の薄肉ヒンジ、７は、上記蓋体嵌合用短筒４に着脱自在に嵌合させた蓋体５の周壁であり、該周壁と蓋体嵌合用短筒４との間には通常の閉蓋係止手段を講じている。15、16は、上記栓本体１を形成する外栓体と内栓体である。そして、これらは合成樹脂成形して成り、内栓体16を別体とするほかは、一体成形している。
また、Ａは、蓋体５の不意の開蓋を阻止するために栓本体１の前面と蓋体５の前面と間に設けた簡易ロック手段、Ｂは、注出筒３の外側に生じた液垂れを容器本体ａ内へ戻すために栓本体１の後部に設けた液垂れ回収手段である。
【００１０】
簡易ロック手段Ａは、栓本体１の外周壁２の前面上縁に係止爪８を突設し、蓋体５の周壁７の前面から正面形状凵字状の弾性係合片９を垂設して、閉蓋態勢にて該弾性係合片をその係止爪８へ離脱可能に係合させて成る。
液垂れ回収手段Ｂは、注出筒３と蓋体嵌合用短筒４との間に形成される溝10の溝底の適所からその注出筒３内へと通じる小流路11を形成して成る。
【００１１】
栓本体１の外栓体15は、上述の外周壁２、注出筒３、蓋体嵌合用短筒４、係止爪８、注出路14及び小流路11を有して成り、外周壁２の内周面に係合突条17を周設して、容器本体ａの口部ｂ外縁に周設した口縁突条ｃと嵌着係合させており、注出筒３の先端には、ラッパ状に拡開した口唇18を形成している。また、上記小流路11を下方からの切欠にて貫通形成させている。
栓本体１の内栓体16は、皿状に形成して、上記注出筒３の直下に水密に連続させて上記外周壁２内の上端に密嵌させ、その外周壁内上部に設けた係止突条19で係止しており、内栓周壁20にて容器本体ａの口部ｂ内周に嵌合させている。そして、内栓底壁21には、中間部に薄肉破断線22を一巡させ、かつ、該薄肉破断線の囲成内部にプルリング23を突設して、該プルリングを上方へ引くことでその薄肉破断線22を破断させて開口させる破断開口部23を設けている。
なお、このように栓本体１を外栓体15と内栓体16との二体にしたのは、上記小流路11を合成樹脂成形するためからであって、この小流路11の形成に支障がなければ一体でよい。
【００１２】
蓋体５の頂壁12には、注出筒３内へと挿入させる栓筒13を垂設しており、閉蓋態勢にて該栓筒13により注出筒３内の注出路14及び上記小流路11を閉じるようにしている。つまり、栓筒13は、適宜に長く形成して、閉蓋態勢にて内栓体16の内栓周壁20内に嵌挿させることで、注出筒３内の注出路14及び上記小流路11を閉じるようにしている。
また、蓋体５の頂壁12の内面には、注出筒３の口唇18へ当接閉口させる環状突条24を周設している。
【００１３】
如上の構成であるから、容器本体ａに収容した非混和性内容物を注出するときは、図１、図２に示す蓋体５の閉蓋態勢において、当初、簡易ロック手段Ａの弾性係合片９に指をかけて曲げの弾性に抗して手前に引くことにより、該弾性係合片を係止爪８から離脱させて簡易ロック手段Ａのロックを解除させ、蓋体５を開蓋させる。そして、現れたプルリング23に指をかけて強く引くことにより、内栓体16の内栓底壁21にある薄肉破断線22を破断させ、該内栓底壁の破断開口部23を開口させる。
蓋体５を閉じたときは、弾性係合片９が係止爪８に乗り越え係合して簡易ロック手段Ａが自動的にロック状態となり、また、蓋体５の栓筒13が内栓体16の内栓周壁20内に嵌まって注出筒３内の注出路14及び上記小流路11が閉路され、同時に、注出筒３の口唇18が蓋体頂壁12の環状突条24で当接閉口される。
【００１４】
以後は、注出の都度、簡易ロック手段Ａをロックさせた図１、図２の閉蓋態勢において、容器全体をよく振って容器本体ａ内の非混和性内容物を十分に混合させ、上述のようにして簡易ロック手段Ａのロックを解除させ、蓋体５を開蓋させて、注出筒３からその混合内容物を注出する。
ところで、そのように容器全体を振って容器本体ａ内の非混和性内容物を混合させる際には、簡易ロック手段Ａが上述のロック状態になり、また、注出筒３内の注出路14及び上記小流路11が栓筒13で閉路されるとともに、注出筒３の口唇18が蓋体頂壁12の環状突条24で閉口されているから、たとえ内容物が勢いよく蓋体５にぶつかったとしても、これによって蓋体５が不意に開くようなことはなく、その内容物が周辺に飛散するようなことはない。
【００１５】
注出に際して注出筒３の外側に液垂れが生じた場合は、液垂れ回収手段Ｂが機能して、その液垂れが容器本体ａ内へと戻る。つまり、蓋体５の開蓋態勢において、その液垂れを注出筒３と蓋体嵌合用短筒４との間の溝10で受け、これを小流路11を通じて注出筒３内へと流入させ、容器本体ａ内へと流下させる。したがって、注出筒３の外側に液垂れが残ることはない。
【００１６】
その2.
図３乃至図５は、請求項１、請求項２の発明に係る実施の形態その2.を示している。
この場合は、図１、図２の実施の形態その1.のものにおいて、栓本体１に液垂れ回収手段Ｂ（小流路11）を具有しない。
そのため、栓本体１を外栓体15と内栓体16との二体にする必要はなく、蓋付き注出栓全体を一体成形で形成しており、内栓体16に代えて注出筒３の下端に水平閉塞板25を設け、該水平閉塞板にプルリング23、薄肉破断線22及び破断開口部23を設けている。また、蓋体５の頂壁12から垂設した栓筒13を注出筒３内に嵌合させることで注出筒３内の注出路14を閉じるようにし、蓋体頂壁12内面の環状突条24を省略している。そして、容器本体ａの口部ｂ外周に嵌合させる外周壁２の内側に内周壁26を垂設して、該内周壁を容器本体ａの口部ｂ内周に嵌合させるようにしている。
その他の構造、機能、作用、操作、動作等は、図１、図２の実施の形態その1.の場合と実質的に同じである。
【００１７】
【発明の効果】
本発明は、既述構成であるから、蓋体５の閉蓋態勢を確実に維持でき、内容物の混合のために容器全体を強く振っても、勢いよく蓋体５にぶつかった内容物で蓋体５が不意に開いてしまうようなことはなく、不意の開蓋でその内容物が周辺に飛散して周辺を汚すようなこともない。また、簡単な構成で容易に製作でき、安価に提供できる。
【００１８】
また、本発明は、注出筒３と蓋体嵌合用短筒４との間に形成される溝１０の溝底の適所からその注出筒３内へと通じる小流路１１を形成して液垂れ回収手段Ｂを設けているので、注出筒３の外側に生じた液垂れを容器本体ａ内へと速やかに戻すことができて、注出筒３の外側に残る液垂れをなくすることができ、したがって、この液垂れが次の注出の際に流出するおそれも滞留して美感を損なうおそれもない。
また、閉蓋態勢において、注出筒３内の注出路１４及び上記小流路１１を蓋体５の頂壁１２から垂設した栓筒１３で簡単に閉じることができ、液漏れを確実に阻止することができる。
【００１９】
さらに、本発明は、栓本体１を外栓体１５と内栓体１６とから形成しているので、合成樹脂成形において、液垂れ回収手段Ｂたる上記小流路１１を極めて簡単に成形できる。
【図面の簡単な説明】
【図１】本発明に係る実施形態のその１を示す閉蓋態勢における斜視図である。
【図２】同実施形態その１の閉蓋態勢における截断断面図である。
【図３】本発明に係る実施形態のその２を示す閉蓋態勢における斜視図である。
【図４】同実施の形態のその２の開蓋態勢における斜視図である。
【図５】同実施の形態その２の閉蓋態勢における截断側面図である。
【符合の説明】
ａ  容器本体
ｂ  口部
ｃ  口縁突条
１  栓本体
２  外周壁
３  注出筒
４  蓋体嵌合用短筒
５  蓋体
６  薄肉ヒンジ
７  周壁
８  係止爪
９  弾性係合片
１０  溝
１１  小流路
１２  頂壁
１３  栓筒
１４  注出路
１５  外栓体
１６  内栓体
１７  係合突条
１８  口唇
１９  係止突条
２０  内栓周壁
２１  内栓底壁
２２  薄肉破断線
２３  プルリング
２４  環状突条
２５  水平閉塞板
２６  内周壁
Ａ  簡易ロック手段
Ｂ  液垂れ回収手段
【図１】
0003929602.tif 000002
【図２】
0003929602.tif 000003
【図３】
0003929602.tif 000004
【図４】
0003929602.tif 000005
【図５】
0003929602.tif 000006